(57)【特許請求の範囲】
【請求項１】
ソファの外形を形成するが、着席時、ユーザの頭及び両腕が触れる三つの位置のそれぞれに「コ」字状切開部が形成された外皮と、前記「コ」字状切開部にそれぞれ連結され、前記外皮の内部に収容されるか、または突出可能に構成された三つの補助外皮と、前記「コ」字状切開部に沿ってそれぞれ形成され、前記三つの補助外皮を前記外皮の内部にそれぞれ収容させるか、または露出させるための三つの開閉部材と、前記外皮の内部に満たされる充填材と、を備えて構成され、前記三つの開閉部材を開放し、前記三つの補助外皮をそれぞれ露出させた状態で、ユーザが座った場合、前記充填材が前記三つの補助外皮に流入して頭支え及び肘掛けを形成するように構成されることを特徴とする開閉式頭支えが設けられたビーンバッグソファ。
【請求項２】
前記開閉部材は、ジッパー、ベルクロテープ、またはボタン／ボタン穴で構成されることを特徴とする請求項１に記載の開閉式頭支えが設けられたビーンバッグソファ。
【請求項３】
前記充填材は、発泡ポリスチレンまたは発泡ポリプロピレンからなることを特徴とする請求項１に記載の開閉式頭支えが設けられたビーンバッグソファ。
【発明の詳細な説明】
【技術分野】
【０００１】
本発明は、開閉式頭支えが設けられたビーンバッグソファに関し、より詳しくは、外皮の所定の位置に外皮と連通する所定の大きさの補助外皮を介在し、補助外皮の開放時、外皮の内部に充填される充填材が補助外皮の内部に流入するように構成することにより、ユーザの便宜に応じて、頭支え及び肘掛けを選択的に形成可能に構成された開閉式頭支えが設けられたビーンバッグソファに関する。
【背景技術】
【０００２】
一般に、ソファは、背もたれと肘掛けを有する長い椅子であり、通常、木材フレームにスポンジ等の弾性体を取り囲んだ形態で構成され、ユーザが気楽に休むように構成される。
【０００３】
ソファは、フレームを取り囲んでいる弾性体を保護するための外皮の材質によって、革ソファ、レザーソファ、布ソファ等に分けられ、機能によって、椅子そのものの機能を有する応接用ソファ、椅子の機能はもとより、ベッドの機能を有するソファベッド、電動手段を用いてソファの角度を調節可能なリクライナーソファ等に分けられる。
【０００４】
また、ソファの一種として、ソファの外形を形成するフレームを用いなく、外皮の内部に充填材を充填して安楽椅子の機能を有するビーンバッグソファもある。
【０００５】
このようなビーンバッグソファは、ユーザが最適の気楽さを維持することができるようにし、運搬や取り扱いが容易であるように軽いものがよい。
【０００６】
従来のビーンバッグソファは、一般のソファとは異なり、外皮の内部に充填材を満たして用い、スポンジ等のように復元力を有する弾性体ではなく、発泡ポリスチレン粒子を充填材として用いており、加えられる圧力に応じて、変形が容易であり、ユーザの姿勢に応じて多様な形態に変形可能に構成されている。
【０００７】
しかしながら、このようなビーンバッグソファは、椅子の代用として使われているが、椅子に形成されている頭支えや肘掛け等の便宜的手段が設けられておらず、長時間使用する場合は、気楽に姿勢を取るのが難しいという問題があった。
【０００８】
また、このようなビーンバッグソファを頭まで十分に支えられる形態で大きく製作する場合、その大きさの増加による製造原価と物流費用の上昇だけでなく、使用空間の制約を受けるという問題点があった。
【発明の概要】
【発明が解決しようとする課題】
【０００９】
本発明は、 上記問題を鑑みてなされたものであり、その目的は、ソファの外皮の所定の位置、例えば、着席時、ユーザの頭及び／または両腕が位置する部分に、外皮と連通する所定の大きさの補助外皮を形成し、開閉部材を用いて補助外皮が外皮の内部に収容されるように構成し、ユーザの便宜に応じて、開閉部材を開放し、補助外皮を外部に露出させた状態で、ユーザが座ると、露出した補助外皮の内部に充填材が流入し、頭支え及び／または肘掛けが形成されるようにすることにより、長時間不便無しに、気楽に休むことができる開閉式頭支えが設けられたビーンバッグソファを提供することにある。
【課題を解決するための手段】
【００１０】
上記目的を達成するために、本発明による開閉式頭支えが設けられたビーンバッグソファは、ソファの外形を形成するが、着席時、ユーザの頭が触れる位置に「コ」字状切開部が形成された外皮と、前記「コ」字状切開部に連結され、前記外皮の内部に収容されるか、または突出可能に構成された補助外皮と、前記切開部に沿って形成され、前記補助外皮を前記外皮の内部に収容させるか、または露出させるための開閉部材と、前記外皮の内部に満たされる充填材と、を備えて構成され、前記開閉部材を開放し、前記補助外皮を露出させた状態で、ユーザが座った場合、前記充填材が前記補助外皮に流入して頭支えを形成するように構成されることを特徴とする。
【００１１】
また、上記目的を達成するために、本発明による開閉式頭支えが設けられたビーンバッグソファは、ソファの外形を形成するが、着席時、ユーザの頭及び両腕が触れる三つの位置のそれぞれに「コ」字状切開部が形成された外皮と、前記「コ」字状切開部にそれぞれ連結され、前記外皮の内部に収容されるか、または突出可能に構成された三つの補助外皮と、前記「コ」字状切開部に沿ってそれぞれ形成され、前記三つの補助外皮を前記外皮の内部にそれぞれ収容させるか、または露出させるための三つの開閉部材と、前記外皮の内部に満たされる充填材と、を備えて構成され、前記三つの開閉部材を開放し、前記三つの補助外皮をそれぞれ露出させた状態で、ユーザが座った場合、前記充填材が前記三つの補助外皮に流入して頭支え及び肘掛けを形成するように構成されることを特徴とする。
【発明の効果】
【００１２】
本発明によると、ソファの外形をなしている外皮の所定の位置に補助外皮を形成し、ソファ内に充填されている充填材を補助外皮の内部に流動させ、頭支えや肘掛け等の便宜的手段を形成することができるので、ソファの全体の体積を増加させなくても、ユーザが便宜に応じて選択的に便宜的手段を用いることができ、ユーザに長時間不便なく気楽な休みを取らせることができる。
【図面の簡単な説明】
【００１３】
【図１】本発明の第１の実施例による開閉式頭支えが設けられたビーンバッグソファの構成を示した斜視図である。
【図２】本発明の第１の実施例による開閉式頭支えが設けられたビーンバッグソファの外形を変形した状態を示した斜視図である。
【図３】本発明の第２の実施例による開閉式頭支えが設けられたビーンバッグソファの構成を示した斜視図である。
【図４】本発明の第１の実施例による開閉式頭支えが設けられたビーンバッグソファの使用状態を示した側面図である。
【図５】本発明の第１の実施例による開閉式頭支えが設けられたビーンバッグソファの使用状態を示した側面図である。
【図６】本発明の第２の実施例による開閉式頭支えが設けられたビーンバッグソファの使用状態を示した斜視図である。
【発明を実施するための形態】
【００１４】
以下、添付した図面に基づき、本発明の好適な実施例について詳述する。  
図１は、本発明の第１の実施例による開閉式頭支えが設けられたビーンバッグソファの構成を示した斜視図であり、図２は、本発明の第１の実施例による開閉式頭支えが設けられたビーンバッグソファの外形を変形した状態を示した斜視図である。
【００１５】
図１及び図２を参照すると、本発明の第１の実施例による開閉式頭支えが設けられたビーンバッグソファは、外形を形成し、着席時、ユーザの頭が触れる位置に形成される「コ」字状切開部１２が形成された外皮１０と、外皮１０の切開部１２に連結され、外皮１０の内部に収容または突出可能に構成された補助外皮２０と、外皮１０に形成された切開部１２に連結され、補助外皮２０を外皮１０の内部に収容または露出させるための開閉部材３０と、外皮１０の内部に満たされる充填材４０と、を備えて構成され、開閉部材３０を開放した状態で、ユーザが座ったら、充填材４０が補助外皮２０に流入して補助外皮２０が突出することにより、頭支えを形成するように構成される。
【００１６】
外皮１０は、ユーザが座ったりまたはもたれたりすることができる程度の大きさからなり、内部に充填材４０を収容した状態で、ユーザがソファに座った場合、ユーザの臀部が触れる胴体中心部が下方に陥没する円形または楕円形からなる。
【００１７】
外皮１０は、通気性及び吸湿性に優れ、柔軟性を有する生地が用いられ、ユーザの皮膚に直接触れる部分であるので、ユーザが本発明によるソファを長時間用いる場合、汗や湿気により不快感を感じないようにすることができるエアメッシュ生地や、室外でも使用可能に、撥水及び防水加工されたナイロン及びレザー等が用いられてもよい。
【００１８】
外皮１０には、着席時、ユーザの頭が触れる位置に「コ」字状切開部１２が形成され、切開部１２は、一側が外皮１０に連結された状態で形成される。
【００１９】
また、外皮１０には、充填材４０を外皮１０から分離するための開閉手段（図示せず）がさらに備えられてもよいが、このような構成を通じて、充填材４０を外皮１０から分離して外皮１０の洗濯を可能にし、これにより、外皮１０の清潔を維持することができる。
【００２０】
補助外皮２０は、外皮１０の切開部１２に裁縫等によって、外皮１０の内部と互いに連通して連結され、外皮１０の内部に畳まれた状態で収容されるか、または補助外皮２０の内部に充填材４０が流入し、外皮１０の外部に立体的に突出して頭支えとして用いられるように構成される。
【００２１】
開閉部材３０は、外皮１０の切開部１２、すなわち、外皮１０と補助外皮２０の境界部位に沿って形成され、閉鎖したとき、切開部１２を互いに連結させ、補助外皮２０を外皮１０の内部に収容させ、開放したときは、補助外皮２０を外皮１０の外部に露出させる。
【００２２】
開閉部材３０は、ジッパー、ベルクロテープ、またはボタン／ボタン穴を用いてもよい。
【００２３】
充填材４０は、発泡ポリスチレンまたは発泡ポリプロピレン等の粒子が用いられる。このような充填材４０の粒子は、ビーズ状であり、人体に無害で、軽くて弾性を有し、耐水性、断熱性、防音性、緩衝性等に優れているので、通常、加圧成形して包装材、包装用緩衝材、建築材等に広く用いられており、綿やスポンジ等の弾性体とは異なり、非反発性のために固いフィット感があり、使用するにつれて、体積が減少するという短所があるが、補充しながら使用すると、元の状態を半永久的に維持することができるので、長期間使用してソファの弾性が低下しても、充填材４０の全体を交替する必要がなく、必要なだけの充填材４０を補充、使用して費用を節減することができるという利点がある。
【００２４】
本実施例では、充填材４０として発泡ポリスチレン粒子を用いており、発泡ポリスチレン粒子は、粒子状のビーズ形態であって、圧力を受けると、個別的に分散するので、ユーザが着席して身体を動くことにより、補助外皮２０への流入が容易であり、これにより、補助外皮２０が外部に立体的に突出して頭支えを形成するので、ソファの全高が若干低くなると共に、ユーザの上半身と下半身がなす角度が大きくなり、ユーザが気楽な姿勢を維持することができる。
【００２５】
また、充填材４０は、外皮１０の内部に直接充填されてもよく、別途の内皮（図示せず）に充填されて外皮１０の内部に収容されてもよいが、後者の場合は、外皮１０から充填材４０の分離を容易にし、外皮１０の破損により充填材４０が外部に流出することを防止することができる。内皮は、通気性及び耐久性に優れたメッシュ生地が用いられてもよく、ユーザがソファに座ったりもたれたりしたとき、大きな荷重を受けるため、破れたり割れたりしないように耐久性を有しなければならない。
【００２６】
図３は、本発明の第２の実施例による開閉式頭支えが設けられたビーンバッグソファの構成を示した斜視図である。
【００２７】
図３を参照すると、本発明の第２の実施例による開閉式頭支えが設けられたビーンバッグソファは、外形を形成し、着席時、ユーザの頭及び両腕が触れる位置にそれぞれ形成される三つの「コ」字状切開部１２、１４が形成された外皮１０と、外皮１０の切開部１２、１４にそれぞれ連結され、外皮１０の内部に収容または突出可能に構成された三つの補助外皮２０、２２と、外皮１０に形成された切開部１２、１４にそれぞれ連結され、補助外皮２０、２２を外皮１０の内部に収容または露出させるための少なくとも三つの開閉部材３０、３２と、外皮１０の内部に満たされる充填材４０を備えて構成され、開閉部材３０、３２を開放した状態で、ユーザが座ると、充填材４０が補助外皮２０、２２に流入して補助外皮２０、２２が突出するように構成される。
【００２８】
本発明の第２の実施例において、外皮１０に形成される三つの切開部１２、１４は、外皮１０の胴体中心部を基準として一定の角度をなして形成され、着席時、ユーザの頭が触れる位置とユーザの両腕が触れる位置にそれぞれ形成されている。
【００２９】
すなわち、切開部１２、１４を全て開放した状態で、ユーザがソファに座ると、外皮１０の内部の充填材４０が補助外皮２０、２２に流入し、外皮１０の外部に立体的に突出することにより、頭支え及び肘掛けとして用いられるように構成される。この際、外皮１０の内部の充填材４０が三つの補助外皮２０、２２に流入するので、頭支えだけを形成したときよりも、外皮１０内に存在する充填材４０の密度が低くなり、ソファそのものの高さがさらに低くなり、これにより、ユーザは、さらに気楽な姿勢を取ることができるようになる。
【００３０】
このような構成により、ユーザは、頭支え側開閉部材３０または肘掛け側開閉部材３２を選択的に開閉させて用い、頭支え及び肘掛けを必要に応じて選択的に形成することができるので、ユーザの便宜をさらに図ることができるという利点がある。
【００３１】
以下、本発明による開閉式頭支えが設けられたビーンバッグソファの使用方法について説明する。
【００３２】
図４及び図５は、本発明の第１の実施例によるビーンバッグソファの使用状態を示した側面図であり、図６は、本発明の第２の実施例によるビーンバッグソファの使用状態を示した斜視図である。
【００３３】
図４を参照すると、ユーザが、本発明の第１の実施例によるソファに座った状態を示しており、この際、外皮１０に形成されている開閉部材３０は閉鎖した状態である。
【００３４】
図５を参照すると、ユーザが、ユーザの頭部に位置する開閉部材３０を開放した状態で、ソファに座っている状態を示している。
【００３５】
開閉部材３０が開放すると、外皮１０の内部に収容されていた補助外皮２０が外部に露出し、ユーザがソファに座りながら加えられる圧力によって、外皮１０の内部に充填されていた充填材４０が補助外皮２０側へ移動すると共に、補助外皮２０が立体的に突出して頭支えを形成するようになる。この際、充填材４０が補助外皮２０側へ移動しながら、外皮１０の内部の密度が低くなり、ソファそのものの高さが低くなり、これにより、ユーザの上半身と下半身がなす角度が大きくなり、ユーザが気楽な姿勢を取ることができ、ソファに形成された頭支えに頭をもたれられ、さらに気楽な姿勢を取ることができるようになる。
【００３６】
また、図６は、本発明の第２の実施例によるソファにユーザが座っている状態を示した図であり、ユーザが、ユーザの頭部及び両腕が触れる部位に位置する開閉部材３０、３２を全て開放した状態で、ソファに座っている状態を示している。
【００３７】
この場合も、上述した第１の実施例と同様に、開閉部材３０、３２を全て開放すると、補助外皮２０、２２が外部に露出し、ユーザがソファに座りながら加えられる圧力によって、外皮１０の内部に充填されていた充填材４０が補助外皮２０、２２側へ移動すると共に、三つの補助外皮２０、２２が立体的に突出し、頭支えと肘掛けをそれぞれ形成するようになる。この際、充填材４０が、ユーザの頭及び腕が位置する部位に形成された補助外皮２０、２２側へ移動するので、図５に示すように、頭支えだけを形成したときよりも、外皮１０の内部の密度がさらに低くなり、ソファそのものの高さはさらに低くなり、外皮１０の内部のさらに低くなった密度と肘掛けにより、ユーザは気楽さを感じることができるようになる。
【００３８】
このように、本発明の詳細な説明では、具体的な実施例に関して説明しているが、本発明の範疇から外れない範囲内で、様々な変形が可能であることは勿論である。そのため、本発明の範囲は、説明された実施例に限られて定められてはならず、後述する特許請求の範囲のみならず、この請求の範囲と均等なものによって定められなければならない。  
以下に、本願出願の当初の特許請求の範囲に記載された発明を付記する。  
［１］ソファの外形を形成するが、着席時、ユーザの頭が触れる位置に「コ」字状切開部が形成された外皮と、前記「コ」字状切開部に連結され、前記外皮の内部に収容されるか、または突出可能に構成された補助外皮と、前記切開部に沿って形成され、前記補助外皮を前記外皮の内部に収容させるか、または露出させるための開閉部材と、前記外皮の内部に満たされる充填材と、を備えて構成され、前記開閉部材を開放し、前記補助外皮を露出させた状態で、ユーザが座った場合、前記充填材が前記補助外皮に流入して頭支えを形成するように構成されることを特徴とする開閉式頭支えが設けられたビーンバッグソファ。
［２］ソファの外形を形成するが、着席時、ユーザの頭及び両腕が触れる三つの位置のそれぞれに「コ」字状切開部が形成された外皮と、前記「コ」字状切開部にそれぞれ連結され、前記外皮の内部に収容されるか、または突出可能に構成された三つの補助外皮と、前記「コ」字状切開部に沿ってそれぞれ形成され、前記三つの補助外皮を前記外皮の内部にそれぞれ収容させるか、または露出させるための三つの開閉部材と、前記外皮の内部に満たされる充填材と、を備えて構成され、前記三つの開閉部材を開放し、前記三つの補助外皮をそれぞれ露出させた状態で、ユーザが座った場合、前記充填材が前記三つの補助外皮に流入して頭支え及び肘掛けを形成するように構成されることを特徴とする開閉式頭支えが設けられたビーンバッグソファ。
［３］前記開閉部材は、ジッパー、ベルクロテープ、またはボタン／ボタン穴で構成されることを特徴とする［１］または［２］に記載の開閉式頭支えが設けられたビーンバッグソファ。
［４］前記充填材は、発泡ポリスチレンまたは発泡ポリプロピレンからなることを特徴とする［１］または［２］に記載の開閉式頭支えが設けられたビーンバッグソファ。
【産業上の利用可能性】
【００３９】
本発明による開閉式頭支えが設けられたビーンバッグソファは、家具、インテリア産業等に適用され、効果的な空間活用はもとより、ユーザの便宜を図るのに用いられる。
【符号の説明】
【００４０】
１０…外皮、１２、１４…切開部、２０、２２…補助外皮、３０、３２…開閉部材、４０…充填材。
【図１】
0005453454.tif 000002
【図２】
0005453454.tif 000003
【図３】
0005453454.tif 000004
【図４】
0005453454.tif 000005
【図５】
0005453454.tif 000006
【図６】
0005453454.tif 000007